(57)【特許請求の範囲】
【請求項１】
デバイス間通信を実現するための方法であって、
デバイス間通信のために使用される無線ネットワーク一時識別子を取得するステップと、
前記デバイス間通信のために使用される前記無線ネットワーク一時識別子によってスクランブルされた送信許可情報を受信するステップと、
デスクランブルされた送信許可情報に従って前記デバイス間通信を実行するステップと、
を含み、
前記デバイス間通信の方向は、２つの無線ネットワーク一時識別子を用いて前記送信許可情報をデスクランブルし、デスクランブルした送信許可情報が得られた無線ネットワーク一時識別子の端末を送信側端末として判定することにより示される、方法。
【請求項２】
デスクランブルされた送信許可情報に従って前記デバイス間通信を実行するステップは、
送信キャリア情報を取得するステップと、
前記送信キャリア情報によって示されるキャリアで、前記送信許可情報に従って前記デバイス間通信を実行するステップと、
を含み、
前記送信キャリア情報を取得するステップは、
基地局によって送信された前記送信キャリア情報を取得するステップ、または
前記送信許可情報に従って前記送信キャリア情報を取得するステップ、
を含む、請求項１に記載の方法。
【請求項３】
前記デバイス間通信のために使用される前記無線ネットワーク一時識別子を取得するステップは、前記デバイス間通信のために使用される２つの無線ネットワーク一時識別子を取得するステップを含み、
基地局によって送信され、前記デバイス間通信のために使用される取得された無線ネットワーク一時識別子は、デバイス間送信方向に適用可能である、請求項１または２に記載の方法。
【請求項４】
前記デバイス間通信のために使用される前記無線ネットワーク一時識別子を取得するステップは、第１の端末が第１の端末および第２の端末のセル無線ネットワーク一時識別子を取得するステップを含み、
前記送信許可情報は、デバイス間通信指示情報を含む、請求項１または２に記載の方法。
【請求項５】
前記送信許可情報が前記第１の端末の前記セル無線ネットワーク一時識別子によってデスクランブルすることによって得られるとき、データを、前記送信許可情報に従って前記第２の端末に前記第１の端末により送信するステップと、
前記送信許可情報が前記第２の端末の前記セル無線ネットワーク一時識別子によってデスクランブルすることによって得られるとき、前記第２の端末によって送信されたデータを、前記送信許可情報に従って前記第１の端末により受信するステップと、
を含む請求項４に記載の方法。
【請求項６】
前記デバイス間通信のために使用される前記無線ネットワーク一時識別子によってスクランブルされた前記送信許可情報を受信するステップの前に、
基地局によって送信される、前記デバイス間通信の論理チャネルの間のマッピングを取得するステップをさらに含む請求項１から５のいずれか一項に記載の方法。
【請求項７】
前記デバイス間通信のために使用される前記無線ネットワーク一時識別子によってスクランブルされた前記送信許可情報を受信するステップの前に、
前記デバイス間通信の前記論理チャネルのバッファステータスを前記基地局に送信するステップをさらに含む請求項６に記載の方法。
【請求項８】
第２の端末が送信側であり、第１の端末が受信側であり、前記第１の端末が、前記論理チャネルにおける無線リンク制御の連番が順序外れであることを検出したとき、前記第１の端末によって、無線リンク制御ＲＬＣ情報を前記第２の端末に確認応答として送信するステップと、
前記ＲＬＣ情報に従って前記第２の端末によって再送信されるデータを前記第１の端末により受信するステップと、
をさらに含む請求項６または７に記載の方法。
【請求項９】
デバイス間送信レポートを基地局に送信するステップをさらに含み、前記デバイス間送信レポートはレポートタイプの指示を含み、前記レポートタイプの指示は、
デバイス間送信失敗情報、
デバイス間送信完了情報、または
デバイス間送信フォーマット調整情報、
のうちの少なくとも１つである、請求項１から８のいずれか一項に記載の方法。
【請求項１０】
前記デバイス間送信レポートを前記基地局に送信するステップは、前記デバイス間送信レポートを、タイマによって設定された時間に従って前記基地局に送信するステップ、または論理チャネルにおけるデバイス間通信が受ける異常の数または割合が閾値を超えたことを検出したときに前記デバイス間送信レポートを前記基地局に送信するステップ、またはデバイス間データ再送信の回数が事前に設定された再送信の最大回数に達したときに前記デバイス間送信レポートを前記基地局に送信するステップ、
前記デバイス間通信のために使用される前記無線ネットワーク一時識別子によってスクランブルされた更新された送信許可情報を受信するステップ、および
前記タイマを再始動するステップ、
を含む、請求項９に記載の方法。
【請求項１１】
デバイス間通信のために使用される無線ネットワーク一時識別子、および前記デバイス間通信のために使用される前記無線ネットワーク一時識別子によってスクランブルされた送信許可情報を取得するように構成された取得モジュールと、
デスクランブルされた送信許可情報に従って前記デバイス間通信を実行するように構成された処理モジュールと、
を含み、
前記デバイス間通信の方向は、２つの無線ネットワーク一時識別子を用いて前記送信許可情報をデスクランブルし、デスクランブルした送信許可情報が得られた無線ネットワーク一時識別子の端末を送信側端末として判定することにより示される、端末。
【請求項１２】
前記取得モジュールは、送信キャリア情報を取得するようにさらに構成され、
前記処理モジュールは、前記送信キャリア情報によって示されるキャリアで、前記送信許可情報に従って前記デバイス間通信を実行するようにさらに構成され、
前記取得モジュールは、
基地局によって送信された前記送信キャリア情報を取得するか、または
前記送信許可情報に従って前記送信キャリア情報を取得するようにさらに構成される、請求項１１に記載の端末。
【請求項１３】
前記取得モジュールは、前記デバイス間通信のために使用される２つの無線ネットワーク一時識別子を取得するようにさらに構成され、基地局によって送信され前記デバイス間通信のために使用される前記無線ネットワーク一時識別子は、デバイス間送信方向に適用可能である、請求項１１または１２に記載の端末。
【発明の詳細な説明】
【技術分野】
【０００１】
本発明は、通信の分野に関し、特に、デバイス間通信を実現するための方法、端末、およびシステムに関する。
【背景技術】
【０００２】
デバイス間（ｄｅｖｉｃｅ  ｔｏ  ｄｅｖｉｃｅ：Ｄ２Ｄ）技術は、モバイルネットワークの制御下でデバイスの間でデータを直接交換する通信技術である。ロングタームエボリューション（ｌｏｎｇ  ｔｅｒｍ  ｅｖｏｌｕｔｉｏｎ：ＬＴＥ）システムなどのシステムの下でのＤ２Ｄ技術はまだ概念的な段階にあり、標準化作業は開始されていない。
【発明の概要】
【発明が解決しようとする課題】
【０００３】
本発明の実施形態によって解決されることになる技術的問題は、いかにしてデバイス間通信を実現するかということである。
【課題を解決するための手段】
【０００４】
技術的問題を解決するために、本発明の一実施形態は、
デバイス間通信のために使用される無線ネットワーク一時識別子を取得するステップと、
デバイス間通信のために使用される無線ネットワーク一時識別子によってスクランブルされた送信許可情報を受信するステップと、
デスクランブルされた送信許可情報に従ってデバイス間通信を実行するステップとを含む、デバイス間通信を実現するための方法を提供する。
【０００５】
したがって、本発明の一実施形態は、
デバイス間通信のために使用される無線ネットワーク一時識別子、およびデバイス間通信のために使用される無線ネットワーク一時識別子によってスクランブルされた送信許可情報を取得するように構成された取得モジュールと、
デスクランブルされた送信許可情報に従ってデバイス間通信を実行するように構成された処理モジュールとを含む端末をさらに提供する。
【０００６】
したがって、本発明の一実施形態は、第１の端末、第２の端末、および基地局を含む通信システムをさらに提供し、第１の端末および第２の端末は、それぞれ、基地局によって送信され、デバイス間通信のために使用される無線ネットワーク一時識別子を取得し、基地局によって送信され、デバイス間通信のために使用される無線ネットワーク一時識別子によってスクランブルされる送信許可情報を受信し、デスクランブルされた送信許可情報に従ってデバイス間通信を実行するように構成される。
【０００７】
本発明の実施形態の実施は、以下の有益な効果を有する。
【０００８】
デバイス間通信を実行するために使用される無線ネットワーク一時識別子と、送信許可情報とを端末に送信することによって、端末は、デバイス間通信を実行するために使用される無線ネットワーク一時識別子と、送信許可情報とに従って端末の間のＤ２Ｄ通信を実現し、それによって、ユーザの間のＤ２Ｄデータ送信の要件を満足することができる。
【図面の簡単な説明】
【０００９】
【図１】本発明の一実施形態による通信システムの概略的な構成図である。
【図２】本発明の一実施形態による端末の概略的な構成図である。
【図３】本発明のデバイス間通信を実現するための方法の実施形態１の概略的な流れ図である。
【図４】本発明のデバイス間通信を実現するための方法の実施形態２の概略的な流れ図である。
【図５】本発明のデバイス間通信を実現するための方法の実施形態３の概略的な流れ図である。
【図６】本発明のデバイス間通信を実現するための方法の実施形態４の概略的な流れ図である。
【図７】本発明のデバイス間通信を実現するための方法の実施形態５の概略的な流れ図である。
【図８】本発明のデバイス間通信を実現するための方法の実施形態６の概略的な流れ図である。
【発明を実施するための形態】
【００１０】
以降で、本発明の実施形態の添付の図面を参照して、本発明の実施形態の技術的解決策を明瞭かつ完全に説明する。明らかに、説明される実施形態は、本発明の実施形態のすべてではなく一部に過ぎない。本発明の実施形態に基づいて当業者によって創造的な努力なしに得られるすべてのその他の実施形態は、本発明の保護範囲に含まれなければならない。
【００１１】
図１は、本発明の一実施形態による通信システムの概略的な構成図である。この実施形態において説明されるシステムは、基地局１１、第１の端末２１、および第２の端末２２を含む。
【００１２】
第１の端末２１および第２の端末２２は、Ｄ２Ｄ通信を実行する必要があるとき、それぞれ、基地局１１によって送信され、Ｄ２Ｄ通信のために使用される無線ネットワーク一時識別子を取得し、基地局１１によって送信され、Ｄ２Ｄ通信のために使用される無線ネットワーク一時識別子によってスクランブルされる送信許可情報を受信し、デスクランブルされた送信許可情報に従ってデバイス間通信を実行するように構成される。
【００１３】
基地局１１は、Ｄ２Ｄ通信を実行するために使用される無線ネットワーク一時識別子と、送信許可情報とを、無線リソース制御（ｒａｄｉｏ  ｒｅｓｏｕｒｃｅ  ｃｏｎｔｒｏｌ：ＲＲＣ）メッセージによって第１の端末２１および第２の端末２２に送信してもよく、送信許可情報は、アップリンクの許可またはダウンリンクの許可とすることができる。
【００１４】
第１の端末２１および第２の端末２２は、送信キャリア情報を取得し、送信キャリア情報によって示されるキャリアで、送信許可情報に従ってデバイス間通信を実行することによって、デスクランブルされた送信許可情報に従ってＤ２Ｄ通信を実行する。送信キャリア情報を取得することは、ＲＲＣメッセージによって送信キャリア情報を送信し得る基地局１１によって送信された送信キャリア情報を取得すること、または送信許可情報に従って送信キャリア情報を取得することを含む。
【００１５】
第１の端末２１または第２の端末２２は、デバイス間通信のために使用される１つの無線ネットワーク一時識別子を取得するようにさらに構成され、送信許可情報は、デバイス間送信方向指示情報を含む。
【００１６】
代替として、第１の端末２１または第２の端末２２は、デバイス間通信のために使用される２つの無線ネットワーク一時識別子を取得するようにさらに構成され、基地局によって送信され、デバイス間通信のために使用される無線ネットワーク一時識別子は、デバイス間送信方向に適用可能である。
【００１７】
代替として、第１の端末または第２の端末は、第１の端末および第２の端末のセル無線ネットワーク一時識別子を取得するようにさらに構成され、送信許可情報は、デバイス間通信の指示情報を含む。
【００１８】
Ｄ２Ｄ通信を実行するために使用される無線ネットワーク一時識別子と、送信許可情報とを端末に送信することによって、端末は、Ｄ２Ｄ通信を実行するために使用される無線ネットワーク一時識別子と、送信許可情報とに従って端末の間の直接的なＤ２Ｄ通信を実現し、それによって、ユーザの間のＤ２Ｄデータ送信の要件を満足することができる。
【００１９】
図２は、本発明の一実施形態による端末の概略的な構造図であり、端末として機能する図１の第１の端末２１および第２の端末２２は、同じ構造を有してもよい。この実施形態においては、第１の端末２１が、説明のための例として取り上げられる。特に、第１の端末２１は、
Ｄ２Ｄ通信のために使用される無線ネットワーク一時識別子、およびＤ２Ｄ通信のために使用される無線ネットワーク一時識別子によってスクランブルされた送信許可情報を取得するように構成された取得モジュール２１１と、
デスクランブルされた送信許可情報に従ってデバイス間通信を実行するように構成された処理モジュール２１３とを含む。
【００２０】
処理モジュール２１３は、デスクランブルされた送信許可情報に従ってＤ２Ｄ通信を実行するようにさらに構成され、Ｄ２Ｄ通信の実行は、特に、送信キャリア情報によって示されるキャリアで、送信許可情報に従ってデバイス間通信を実行することを含む。
【００２１】
取得モジュール２１１は、送信キャリア情報を取得するようにさらに構成される。例えば、取得モジュール２１１は、基地局によって送信された送信キャリア情報を取得するか、または送信許可情報に従って送信キャリア情報を取得する。
【００２２】
取得モジュール２１１によって取得される送信キャリア情報は、ＲＲＣメッセージを通じて基地局１１によって送信される送信キャリア情報であってもよく、基地局１１によって送信許可情報で示されるキャリアなど、送信許可情報に従って取得される送信キャリア情報である可能性もある。
【００２３】
取得モジュール２１１は、デバイス間通信のために使用される１つの無線ネットワーク一時識別子を取得するようにさらに構成され、送信許可情報は、デバイス間送信方向指示情報を含む。
【００２４】
特に、基地局によって送信されたスクランブルされた送信許可情報を、取得されたＤ２Ｄ通信のために使用される無線ネットワーク一時識別子を使用することによってデスクランブルしたあと、処理モジュール２１３は、Ｄ２Ｄ通信接続を確立し、送信許可情報に含まれるＤ２Ｄ送信方向指示情報によって示される送信方向に従ってデータを送信または受信する。例えば、第１の端末２１によってデスクランブルされた送信許可情報によって示される方向が第１の端末２１から第２の端末２２に向かう方向であるとき、第１の端末２１は、データを送信する。別の例として、第１の端末２１によってデスクランブルされた送信許可情報によって示される方向が第２の端末から第１の端末に向かう方向であるとき、第１の端末２１は、データを受信する。
【００２５】
代替として、取得モジュール２１１は、デバイス間通信のために使用される２つの無線ネットワーク一時識別子を取得するようにさらに構成され、基地局１１によって送信され、デバイス間通信のために使用される無線ネットワーク一時識別子は、デバイス間送信方向に適用可能である。
【００２６】
特に、取得モジュール２１１は、基地局１１によって設定され、Ｄ２Ｄ通信のために使用される２つの無線ネットワーク一時識別子を取得することができ、処理モジュール２１３は、Ｄ２Ｄ通信のために使用される無線ネットワーク一時識別子の値に従ってＤ２Ｄ送信方向を判定する。例えば、Ｄ２Ｄ通信のために使用される第１の無線ネットワーク一時識別子に関して設定された値が１００であり、Ｄ２Ｄ通信のために使用される第２の無線ネットワーク一時識別子に関して設定された値が２００であるとき、処理モジュール２１３において、値が１００である識別子によってデスクランブルすることによってデスクランブルされた送信許可情報が得られる場合、適用可能なＤ２Ｄ送信方向は、第１の端末２１から第２の端末２２に向かう方向であると判定され、第１の端末２１はデータを送信し、値が２００である識別子によってデスクランブルすることによってデスクランブルされた送信許可情報が得られる場合、適用可能なＤ２Ｄ送信方向は、第２の端末２２から第１の端末２１に向かう方向であると判定され、第１の端末２１はデータを受信する。Ｄ２Ｄ通信のために使用される無線ネットワーク一時識別子の値に対応する送信方向は、基地局１１と端末との間のネゴシエーションによって得られてもよい。
【００２７】
代替として、取得モジュール２１１は、第１の端末および第２の端末のセル無線ネットワーク一時識別子を取得するようにさらに構成され、送信許可情報は、デバイス間通信指示情報を含む。送信許可情報に含まれるＤ２Ｄ通信指示情報は、許可情報がＤ２Ｄ送信のために使用されることを第１の端末２１に説明するために使用される。指示が含まれていないとき、第１の端末２１は、許可情報が端末と基地局との間の送信を認可するために使用されるが、Ｄ２Ｄ通信の送信を認可するためには使用されないと判定する。
【００２８】
特に、第１の端末２１および第２の端末２２のセル無線ネットワーク一時識別子は、Ｄ２Ｄ通信のために使用される無線ネットワーク一時識別子としての役割を果たすように構成され得る。Ｄ２Ｄ通信がセル無線ネットワーク一時識別子に従って実行されるとき、取得モジュール２１１は、第１の端末２１（ローカルエンド）および第２の端末２２（ピアエンド）のセル無線ネットワーク一時識別子を同時に取得する必要がある。スクランブルされた送信許可情報は、ローカルエンドまたはピアエンドのセル無線ネットワーク一時識別子を使用することによってデスクランブルされ、処理モジュール２１３は、デスクランブルされた送信許可情報に従って第２の端末２２とのＤ２Ｄ通信を実行する。第１の端末２１は、送信許可情報が第１の端末２１のセル無線ネットワーク一時識別子によってデスクランブルすることによって得られるとき、送信許可情報に従って第２の端末２２にデータを送信するように構成された送信モジュール２１５をさらに含み、取得モジュール２１１は、送信許可情報が第２の端末２２のセル無線ネットワーク一時識別子によってデスクランブルすることによって得られるとき、第２の端末によって送信されたデータを、送信許可情報に従って受信するようにさらに構成される。
【００２９】
デバイス間通信を実行するために使用される無線ネットワーク一時識別子と、送信許可情報とを端末に送信することによって、端末は、デバイス間通信を実行するために使用される無線ネットワーク一時識別子と、送信許可情報とに従ってＤ２Ｄ通信を実現し、それによって、ユーザの間のＤ２Ｄデータ送信の要件を満足することができる。
【００３０】
さらに、送信許可情報を送信する前に、基地局１１は、第１の端末２１および第２の端末２２のデバイス間通信の論理チャネルの間のマッピングを第１の端末２１および第２の端末２２に通知するようにさらに構成される。第１の端末２１の取得モジュール２１１は、基地局によって送信される、デバイス間通信の論理チャネルの間のマッピングを取得するようにさらに構成される。例えば、第１の端末２１が、ファイル転送プロトコルに従って第２の端末２２にファイルを転送する必要があり、ファイル転送サービスのために基地局１１によって第１の端末２１および第２の端末２２に割り当てられる論理チャネル識別子が、それぞれ、３および４である。この状況で、基地局１１は、第１の端末２１および第２の端末２２がデータを送受信し、確認応答を正しく実行することを可能にするために、第１の端末２１の論理識別子３を第２の端末２２の論理識別子４に関連付け、マッピングを２つの端末に通知する必要がある。別の例として、基地局１１は、２つの端末によって実行されるＤ２Ｄ送信の同じサービスに同じ論理チャネル識別子を割り当ててもよい。基地局によって送信されたマッピングに従って、Ｄ２Ｄ通信は、第１の端末２１と第２の端末２２との間でより良好に実行され得る。
【００３１】
さらに、図２に示されるように、第１の端末２１の送信モジュール２１５は、端末が送信側であるとき、取得モジュール２１１がデバイス間通信のために使用される無線ネットワーク一時識別子によってスクランブルされた送信許可情報を受信する前に、デバイス間通信の論理チャネルのバッファステータスを基地局１１に送信するようにさらに構成される。
【００３２】
基地局１１によって送信された送信許可情報を受信する前に、第１の端末２１は、送信側として動作する場合、送信モジュール２１５によって、Ｄ２Ｄ通信の論理チャネルのバッファステータスを基地局１１に送信してもよい。特に、送信モジュール２１５は、バッファステータスレポート（ｂｕｆｆｅｒ  ｓｔａｔｕｓ  ｒｅｐｏｒｔ：ＢＳＲ）、または独立した論理チャネルグループに対応するバッファステータスなどのＢＳＲ内の独立した構成要素を使用することによって、Ｄ２Ｄ送信の論理チャネルのバッファステータスを基地局１１に示すことができる。
【００３３】
さらに、図２に示されるように、第１の端末２１の取得モジュール２１１は、第２の端末２２が受信側であり、第１の端末２１が送信側であり、第２の端末２２が、論理チャネルにおける無線リンク制御の連番が順序外れであることを検出したとき、第２の端末２２によって送信された無線リンク制御ＲＬＣ情報を受信するようにさらに構成され、第１の端末２１は、ＲＬＣ情報に従って第２の端末２２にデータを再送信するように構成された再送信モジュール２１６をさらに含む。
【００３４】
第１の端末２１と第２の端末２２との間のＤ２Ｄ通信中に異常が発生したときは、取得モジュール２１１および再送信モジュール２１６を通じて、Ｄ２Ｄ送信のデータの正確性および完全性を確保するためにデータ再送信が実行される。
【００３５】
さらに、Ｄ２Ｄ通信中、第１の端末２１または第２の端末２２は、Ｄ２Ｄ送信レポートを基地局１１に送信するようにさらに構成される。特に、第１の端末２１の送信モジュール２１５は、デバイス間送信レポートを基地局１１に送信するようにさらに構成される。デバイス間送信レポートは、レポートタイプの指示を含む。レポートタイプの指示は、以下の情報、すなわち、デバイス間送信失敗情報、デバイス間送信完了情報、およびデバイス間送信フォーマット調整情報のうちの少なくとも１つとすることができる。例えば、デバイス間送信フォーマット調整情報は、デバイス間送信の状況を示すために使用されてもよく、現在の送信の変調符号化方式（ｍｏｄｕｌａｔｉｏｎ  ａｎｄ  ｃｏｄｉｎｇ  ｓｃｈｅｍｅ：ＭＣＳ）に関する調整および／またはデータ送信電力方式（ｄａｔａ  ｔｒａｎｓｍｉｓｓｉｏｎ  ｐｏｗｅｒ  ｓｃｈｅｍｅ）に関する調整を示すために使用されてもよい。
【００３６】
第１の端末２１の送信モジュール２１５は、Ｄ２Ｄ送信レポートを、タイマによって設定された時間に従って周期的に基地局１１に送信してもよい。タイマは、基地局１１によって構成される可能性がある。基地局１１は、送信レポートでのＤ２Ｄ送信失敗またはＤ２Ｄ送信フォーマット調整のレポートタイプの指示に応じて、データ送信を実行する前にＭＣＳおよび／またはデータ送信電力を調整するように第１の端末２１に指示するために、第１の端末２１に送信されるアップリンクの許可で新しい変調符号化方式（ｍｏｄｕｌａｔｉｏｎ  ａｎｄ  ｃｏｄｉｎｇ  ｓｃｈｅｍｅ：ＭＣＳ）および／またはデータ送信電力を示すことができる。第１の端末２１は、基地局１１によって送信されたデバイス間送信フォーマット調整指示を受信したあと、デバイス間通信のために使用される無線ネットワーク一時識別子によってスクランブルされた更新された送信許可情報を再び受信したとき、デバイス間送信レポートを基地局１１に送信するために再び時間調整するためにタイマを再始動するようにさらに構成される。
【００３７】
さらに、第１の端末２１は、論理チャネルにおけるデータ送信が受ける異常の数あるいは割合が事前に設定された閾値を超えたことを検出したときにＤ２Ｄ送信レポートを基地局１１に送信してもよく、データ再送信の回数が事前に設定された再送信の最大回数に達したときにＤ２Ｄ送信レポートを基地局１１に送信してもよく、この場合、データ送信が受ける異常の数に関する事前に設定された閾値、またはデータ再送信の回数に関する事前に設定された再送信の最大回数を基地局１１によって構成し、次いで第１の端末２１に送信してもよい。第１の端末２１がＤ２Ｄ送信レポートを送信する特定の方法は、実際の必要性に応じて選択され得る。
【００３８】
基地局１１によって受信されたＤ２Ｄ送信レポートのレポートタイプがＤ２Ｄ通信失敗またはＤ２Ｄ通信完了である場合、基地局１１は、Ｄ２Ｄ通信の論理チャネルを無線インターフェース送信方法に切り替えてもよい。
【００３９】
送信の状況の通知のために基地局にレポートを送信することによって、基地局は、第１の端末と第２の端末との間のより良好なＤ２Ｄ通信を実現するために、第１の端末と第２の端末との間のＤ２Ｄ通信のＭＣＳおよび／またはデータ送信電力をレポートに従っていつでも調整することができるようにされる。
【００４０】
さらに、Ｄ２Ｄ通信の終わりに、第１の端末２１は、さらに、ハイブリッド自動再送要求（ｈｙｂｒｉｄ  ａｕｔｏｍａｔｉｃ  ｒｅｐｅａｔ  ｒｅｑｕｅｓｔ：ＨＡＲＱ）を実行し、第２の端末２２との確認応答を実行し、ＨＡＲＱ再送信を実行してもよい。端末の実現を簡単にするために、基地局１１は、Ｄ２Ｄ送信のために設計される複雑な物理アップリンク制御チャネル（ｐｈｙｓｉｃａｌ  ｕｐｌｉｎｋ  ｃｏｎｔｒｏｌ  ｃｈａｎｎｅｌ：ＰＵＣＣＨ）が避けられ得るように、Ｄ２Ｄ送信のＨＡＲＱ送信の回数を１として設定し、第１の端末２１および第２の端末２２にその数を通知してもよい。
【００４１】
Ｄ２Ｄ通信が終了したあと、ＨＡＲＱ再送信の実行を容易にし、さらにＤ２Ｄ送信のデータの正確性および完全性を確保するためにＨＡＲＱ確認応答が実行され、それによって、より良好なＤ２Ｄ通信を実現する。
【００４２】
本発明のデバイス間送信を実現するための方法が、以下で詳細に説明される。
【００４３】
図３は、本発明のデバイス間送信を実現するための方法の実施形態１の概略的な流れ図である。この実施形態の方法は、以下のステップを含む。
Ｓ１０１：デバイス間通信のために使用される無線ネットワーク一時識別子を取得する。
Ｓ１０２：デバイス間通信のために使用される無線ネットワーク一時識別子によってスクランブルされた送信許可情報を受信する。
Ｓ１０３：デスクランブルされた送信許可情報に従ってデバイス間通信を実行する。
【００４４】
この実施形態において、Ｄ２Ｄ通信を実行する端末は、第１の端末および第２の端末を含む。第１の端末および第２の端末は、両方とも、Ｓ１０１からＳ１０３までの上記ステップを実行する。第１の端末が、説明のための例として取り上げられる。
【００４５】
第１の端末は、ステップＳ１０１において、Ｄ２Ｄ通信のために使用される無線ネットワーク一時識別子を取得し、この無線ネットワーク一時識別子の取得は、Ｄ２Ｄ通信のために使用される１つの無線ネットワーク一時識別子を取得することを含み、送信許可情報は、デバイス間送信方向指示情報を含む。
【００４６】
特に、ステップＳ１０３において、ステップＳ１０２で受信されたスクランブルされた送信許可情報を、取得されたＤ２Ｄ通信のために使用される無線ネットワーク一時識別子を使用することによってデスクランブルしたあと、Ｄ２Ｄ通信接続がステップＳ１０３において確立され、送信許可情報に含まれるデバイス間送信方向指示情報によって示される送信方向に従ってデータが送信または受信される。例えば、第１の端末によってデスクランブルされた送信許可情報によって示される方向が第１の端末から第２の端末に向かう方向であるとき、第１の端末２１は、データを送信する。別の例として、第１の端末によってデスクランブルされた送信許可情報によって示される方向が第２の端末から第１の端末に向かう方向であるとき、第１の端末は、データを受信する。
【００４７】
代替として、第１の端末は、ステップＳ１０１において、Ｄ２Ｄ通信のために使用される無線ネットワーク一時識別子を取得し、この無線ネットワーク一時識別子の取得は、Ｄ２Ｄ通信のために使用される２つの無線ネットワーク一時識別子を取得することを含み、取得されたデバイス間通信のために使用される無線ネットワーク一時識別子は、デバイス間送信方向に適用可能である。
【００４８】
特に、ステップＳ１０１において、Ｄ２Ｄ通信のために使用される２つの無線ネットワーク一時識別子が取得されてもよく、ステップＳ１０３において、Ｄ２Ｄ通信のために使用される無線ネットワーク一時識別子の値に従ってＤ２Ｄ送信方向が判定される。例えば、Ｄ２Ｄ通信のために使用される第１の無線ネットワーク一時識別子に関して設定された値が１００であり、Ｄ２Ｄ通信のために使用される第２の無線ネットワーク一時識別子に関して設定された値が２００であるとする。このとき、値が１００である識別子によってデスクランブルすることによって送信許可情報が得られる場合、ステップＳ１０３において判定される適用可能なＤ２Ｄ送信方向は、第１の端末から第２の端末に向かう方向であり、第１の端末はデータを送信する。また、値が２００である識別子によってデスクランブルすることによって送信許可情報が得られる場合、ステップＳ１０３において判定される適用可能なＤ２Ｄ送信方向は、第２の端末から第１の端末に向かう方向であり、第１の端末はデータを受信する。
【００４９】
代替として、第１の端末は、ステップＳ１０１において、Ｄ２Ｄ通信のために使用される無線ネットワーク一時識別子を取得し、この無線ネットワーク一時識別子の取得は、第１の端末および第２の端末のセル無線ネットワーク一時識別子を取得することを含み、送信許可情報は、デバイス間通信指示情報を含む。第１の端末および第２の端末のセル無線ネットワーク一時識別子は、Ｄ２Ｄ通信のために使用される無線ネットワーク一時識別子として動作するように構成され得る。送信許可情報に含まれるＤ２Ｄ通信指示情報は、許可情報がＤ２Ｄ送信のために使用されることを第１の端末に説明するために使用される。指示が含まれていないとき、第１の端末は、許可情報が端末と基地局との間の送信を認可するために使用されるが、Ｄ２Ｄ通信の送信を認可するためには使用されないと判定する。
【００５０】
特に、Ｄ２Ｄ通信がセル無線ネットワーク一時識別子に従って実行されるときは、第１の端末（ローカルエンド）および第２の端末（ピアエンド）のセル無線ネットワーク一時識別子が、ステップＳ１０１において同時に取得される必要がある。スクランブルされた送信許可情報は、ローカルエンドまたはピアエンドのセル無線ネットワーク一時識別子を使用することによってデスクランブルされ、第１の端末は、デスクランブルされた送信許可情報に従って第２の端末とのＤ２Ｄ通信を実行する。送信許可情報が第１の端末のセル無線ネットワーク一時識別子によってデスクランブルすることによって得られるとき、第１の端末は、送信許可情報に従って第２の端末にデータを送信する。また、送信許可情報が第２の端末のセル無線ネットワーク一時識別子によってデスクランブルすることによって得られるとき、第１の端末は、第２の端末によって送信されたデータを、送信許可情報に従って受信する。
【００５１】
デバイス間通信を実行するために使用される無線ネットワーク一時識別子と、送信許可情報とを端末に送信することによって、端末は、デバイス間通信を実行するために使用される無線ネットワーク一時識別子と、送信許可情報とに従って簡単かつ迅速にＤ２Ｄ通信を実現し、それによって、ユーザの間のＤ２Ｄデータ送信の要件を満足することができる。
【００５２】
図４は、本発明のデバイス間送信を実現するための方法の実施形態２の概略的な流れ図である。この実施形態において、Ｄ２Ｄ通信を実行する必要がある端末は、第１の端末および第２の端末を含む。方法は、以下のステップを含む。
Ｓ２０１：デバイス間通信のために使用される無線ネットワーク一時識別子を取得する。
Ｓ２０２：デバイス間通信のために使用される無線ネットワーク一時識別子によってスクランブルされた送信許可情報を受信する。
Ｓ２０３：デスクランブルされた送信許可情報に従ってデバイス間通信を実行する。
Ｓ２０４：通信プロセスにおいて、第２の端末が送信側であり、第１の端末が受信側であり、第１の端末が、論理チャネルにおける無線リンク制御の連番が順序外れであることを検出したとき、第１の端末が、無線リンク制御ＲＬＣ情報を第２の端末に確認応答として送信する。
Ｓ２０５：第１の端末が、第２の端末によってＲＬＣ情報に従って再送信されたデータを受信する。
【００５３】
さらに代替として、ステップＳ２０２の前に、方法は、基地局によって送信される、デバイス間通信の論理チャネルの間のマッピングを取得するステップと、第１の端末または第２の端末が送信側であるとき、第１の端末または第２の端末によって、デバイス間通信の論理チャネルのバッファステータスを基地局に送信するステップとをさらに含むことができる。
【００５４】
さらに代替として、ステップＳ２０３で実行されるＤ２Ｄ通信プロセスにおいて、方法は、第１の端末または第２の端末によって、デバイス間送信レポートを基地局に送信するステップをさらに含む。デバイス間送信レポートは、レポートタイプの指示を含み、レポートタイプの指示は、以下の情報、すなわち、デバイス間送信失敗情報、デバイス間送信完了情報、およびデバイス間送信フォーマット調整情報のうちの少なくとも１つである。
【００５５】
さらに代替として、デバイス間送信が完了したあと、方法は、第１の端末および第２の端末によって、ＨＡＲＱ確認応答およびＨＡＲＱ再送信を実行するステップをさらに含む。
【００５６】
この実施形態においては、Ｄ２Ｄ通信プロセスで論理チャネルにおいて実行されるＲＬＣの連番の検出と、データが順序外れで送信されたときに実行されるデータ再送信とにより、Ｄ２Ｄ送信のデータの正確性および完全性を確保することができる。
【００５７】
図５は、本発明のデバイス間送信を実現するための方法の実施形態３の概略的な流れ図である。この実施形態において、Ｄ２Ｄ通信を実行する必要がある端末は、第１の端末および第２の端末を含む。方法は、以下のステップを含む。
Ｓ３０１：デバイス間通信のために使用される無線ネットワーク一時識別子を取得する。
Ｓ３０２：基地局によって送信される、デバイス間通信の論理チャネルの間のマッピングを取得する。
Ｓ３０３：第１の端末または第２の端末が送信側であるとき、第１の端末または第２の端末が、デバイス間通信の論理チャネルのバッファステータスを基地局に送信する。
Ｓ３０４：デバイス間通信のために使用される無線ネットワーク一時識別子によってスクランブルされた送信許可情報を受信する。
Ｓ３０５：デスクランブルされた送信許可情報に従ってデバイス間通信を実行する。
【００５８】
この実施形態において、基地局によって送信される、論理チャネルの間のマッピングは、Ｄ２Ｄ通信を確立する前に取得され、送信側として動作する第１の端末または第２の端末は、デバイス間通信の論理チャネルのバッファステータスを基地局に送信し、それによって、第１の端末から第２の端末へのより良好なＤ２Ｄ通信を実現する。
【００５９】
図６は、本発明のデバイス間送信を実現するための方法の実施形態４の概略的な流れ図である。この実施形態において、Ｄ２Ｄ通信を実行する必要がある端末は、第１の端末および第２の端末を含む。方法は、以下のステップを含む。
Ｓ４０１：第１の端末および第２の端末によって実行されるＤ２Ｄ通信プロセスにおいて、第２の端末が送信側であり、第１の端末が受信側であり、第１の端末が、論理チャネルにおける無線リンク制御の連番が順序外れであることを検出したとき、第１の端末が、無線リンク制御ＲＬＣ情報を第２の端末に確認応答として送信する。
Ｓ４０２：第１の端末が、第２の端末によってＲＬＣ情報に従って再送信されたデータを受信する。
【００６０】
この実施形態においては、Ｄ２Ｄ通信プロセスで論理チャネルにおいて実行されるＲＬＣの連番の検出と、データが順序外れで送信されたときに実行されるデータ再送信とにより、Ｄ２Ｄ送信のデータの正確性および完全性を確保することができる。
【００６１】
図７は、本発明のデバイス間送信を実現するための方法の実施形態５の概略的な流れ図である。この実施形態において、Ｄ２Ｄ通信を実行する必要がある端末は、第１の端末および第２の端末を含む。方法は、以下のステップを含む。
【００６２】
Ｓ５０１：第１の端末および第２の端末によって実行されるＤ２Ｄ通信プロセスにおいて、レポートタイプの指示を含むデバイス間送信レポートを基地局に送信する。
【００６３】
レポートタイプの指示は、以下の情報のうちの少なくとも１つである。
デバイス間送信失敗情報、
デバイス間送信完了情報、
デバイス間送信フォーマット調整情報。
【００６４】
例えば、デバイス間送信フォーマット調整情報は、デバイス間送信の状況を示すために使用されてもよく、また現在の送信の変調符号化方式（ｍｏｄｕｌａｔｉｏｎ  ａｎｄ  ｃｏｄｉｎｇ  ｓｃｈｅｍｅ：ＭＣＳ）に関する調整および／またはデータ送信電力方式に関する調整を示すために使用されてもよい。
【００６５】
デバイス間送信レポートを基地局に送信することは、デバイス間送信レポートを、タイマによって設定された時間に従って基地局に送信することを含む。
【００６６】
特に、タイマは、基地局によって構成されたＤ２Ｄ送信レポート期間が受信されたあとで開始され、タイマが切れると、デバイス間送信レポートが基地局に送信される。例えば、期間内のＨＡＲＱまたはＲＬＣ送信の失敗の数または割合がレポートされる。
【００６７】
代替として、デバイス間送信レポートを基地局に送信することは、論理チャネルにおけるデバイス間通信が受ける異常の数または割合が閾値を超えたことを検出したときにデバイス間送信レポートを基地局に送信することを含む。
【００６８】
特に、基地局によって構成されたＤ２Ｄ送信レポートの閾値が受信され、Ｄ２Ｄ送信レポートの閾値は、ＨＡＲＱまたはＲＬＣ送信の失敗の数または割合とすることができる。デバイス間送信レポートは、Ｄ２Ｄ送信レポートの閾値が達せられたあとに基地局に送信され、例えば、期間内のＨＡＲＱもしくはＲＬＣ送信の失敗の数または割合がレポートされるか、または単に閾値が達せられていることが示される。
【００６９】
代替として、デバイス間送信レポートを基地局に送信することは、デバイス間データ再送信の回数が事前に設定された再送信の最大回数に達したときにデバイス間送信レポートを基地局に送信することを含む。
【００７０】
特に、基地局によって構成されたＲＬＣ送信の最大回数または再送信の最大回数が受信され、Ｄ２Ｄ送信の回数がＲＬＣ送信の最大回数もしくは再送信の最大回数に達するか、またはＤ２Ｄ送信が完了したとき、デバイス間送信レポートが基地局に送信され、例えば、Ｄ２Ｄ送信失敗、Ｄ２Ｄ送信完了、またはＤ２Ｄ送信完了要求がレポートされる。
【００７１】
Ｓ５０２：デバイス間通信のために使用される無線ネットワーク一時識別子によってスクランブルされた更新された送信許可情報を受信する。
【００７２】
基地局は、デバイス間通信のために使用される無線ネットワーク一時識別子によってスクランブルされた送信許可情報を送信レポートに従って更新してもよく、データ送信を実行する前にＭＣＳおよび／またはデータ送信電力を調整するように第１の端末および第２の端末に指示するために、送信許可情報で新しいＭＣＳおよび／またはデータ送信電力を示す。第１の端末または第２の端末は、基地局によって送信されたデバイス間送信フォーマット調整指示を受信したあと、デバイス間通信のために使用される無線ネットワーク一時識別子によってスクランブルされた更新された送信許可情報を再び受信したとき、デバイス間送信レポートを基地局に送信するためにリタイミングするためにタイマを再始動するようにさらに構成される。
【００７３】
基地局によって受信されたＤ２Ｄ送信レポートのタイプがデバイス間送信失敗またはデバイス間送信完了である場合、基地局は、デバイス間送信の論理チャネルを無線インターフェース送信方法に切り替える。
【００７４】
Ｄ２Ｄ送信レポートを送信するために第１の端末または第２の端末によって使用される方法は、実際の必要性に応じて選択され得る。
【００７５】
この実施形態において、Ｄ２Ｄデータ再送信を実行し、さらにＤ２Ｄ送信のデータの正確性および完全性を確保するために、送信許可情報がＤ２Ｄ送信レポートに従って更新され、それによって、より良好なＤ２Ｄ通信を実現する。
【００７６】
図８は、本発明のデバイス間送信を実現するための方法の実施形態６の概略的な流れ図である。この実施形態において、Ｄ２Ｄ通信を実行する必要がある端末は、第１の端末および第２の端末を含む。方法は、以下のステップを含む。
Ｓ６０１：第１の端末および第２の端末によって実行されるＤ２Ｄ通信の終わりに、第１の端末および第２の端末が、ＨＡＲＱ確認応答を実行する。
Ｓ６０２：第１の端末および第２の端末が、ＨＡＲＱ再送信を実行する。
【００７７】
特に、受信側として動作する第２の端末は、第１の端末とのＨＡＲＱ確認応答を実行し、第１の端末は、ＨＡＲＱ確認応答に応じてＤ２Ｄ  ＨＡＲＱ再送信を実行する。代替として、受信側として動作する第２の端末は、基地局とのハイブリッド自動再送要求ＨＡＲＱ確認応答を実行し、ハイブリッド自動再送要求ＨＡＲＱ確認応答に応じて、基地局は、Ｄ２Ｄ  ＨＡＲＱ再送信を実行するように第１の端末をスケジューリングする。
【００７８】
この実施形態においては、Ｄ２Ｄ通信が終了したあと、ＨＡＲＱ再送信を実行し、さらにＤ２Ｄ送信のデータの正確性および完全性を確保するためにＨＡＲＱ確認応答が実行され、より良好なＤ２Ｄ通信を実現する。
【００７９】
当業者は、実施形態の方法のプロセスのすべてまたは一部が、関連するハードウェアに指示を与えるコンピュータプログラムによって実装され得ることを理解するであろう。プログラムは、コンピュータ可読記憶媒体に記憶され得る。プログラムが実行されるとき、実施形態の方法のプロセスが実行される。記憶媒体は、磁気ディスク、光ディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）などとすることができる。
【００８０】
上記は、本発明の例示的な実施形態であるに過ぎない。しかし、本発明の保護範囲は、それらの例示的な実施形態に限定されない。したがって、本発明の請求項により導き出された均等な変更は、本発明の保護範囲に含まれなければならない。
【図１】
0006009571.tif 000002
【図２】
0006009571.tif 000003
【図３】
0006009571.tif 000004
【図４】
0006009571.tif 000005
【図５】
0006009571.tif 000006
【図６】
0006009571.tif 000007
【図７】
0006009571.tif 000008
【図８】
0006009571.tif 000009